(57)【要約】      （修正有）【課題】 顔全体を覆いながら簡単に着用することができ、ひいては優れたピーリング効果を奏するピーリングマスクの提供を課題とする。【解決手段】人の顔前面に対応するマスク前面部１と、人のあご面に対応し、かつマスク前面部１の下端部に連接するマスク後面部２と、人の顔側面に対応し、かつマスク前面部１およびマスク後面部２の両側部から上方に向けて延びる態様で連接するマスク側面部３，３とを備える。本マスクを装着するに際しては、マスク前面部１が人の顔前面を覆い、かつ前記マスク後面部２が人のあご面を覆うとともに、両マスク側面部３，３が人の顔側面に沿いながら頭部の頂上付近で結ばれる。【選択図】図３
2007029159.tif 000002
【特許請求の範囲】
【請求項１】
人の顔前面に対応するマスク前面部と、
人のあご面に対応し、かつ前記マスク前面部の下端部に連接するマスク後面部と、
人の顔側面に対応し、かつ前記マスク前面部およびマスク後面部の両側部から上方に向けて延びる態様で連接するマスク側面部とを備え、
本マスクを装着するに際しては、前記マスク前面部が人の顔前面を覆い、かつ前記マスク後面部が人のあご面を覆うとともに、前記両マスク側面部が人の顔側面に沿いながら頭部の頂上付近で結ばれることを特徴とするピーリングマスク。
【請求項２】
前記素材はマイクロファイバーからなるものである請求項１に記載のピーリングマスク。
【請求項３】
前記マスク前面部は、眼が露出するための眼用開口部と、鼻が露出するための鼻用開口部が形成されている請求項１または請求項２に記載のピーリングマスク。
【請求項４】
前記眼用開口部と鼻用開口部の周縁部には装飾が施されている請求項１ないし請求項３のいずれかに記載のピーリングマスク。
【発明の詳細な説明】
【技術分野】
【０００１】
本発明は、主に入浴時やサウナ時において人の顔面にピーリング効果を奏するピーリングマスクに関する。
【背景技術】
【０００２】
従来、入浴時やサウナ時において人の顔面に着用する様々なマスクが知られている。例えば、薬剤層が塗布されてなるマスク本体と、該マスク本体の左右に連接されてなる耳掛け部とからなり、該マスク本体は、該薬剤層が肌に当接するようにして、顔面の所定の箇所に適用され、該耳掛け部は、該マスク本体が顔面に適用されたとき、左右の耳に係止されうるようになっている耳掛け部を具備したマスクが知られている（特許文献１参照）。
【０００３】
また、顔に被せて着用する為にゴムバンドや紐を取付けたマスクであって、該マスクには目の位置、口の位置、そして鼻の位置には夫々の大きさ・形状の穴を貫通し、顔に馴染むように周辺部の適当な箇所を切欠くと共に縫い合わせして凸状の立体形状とし、そして植物性炭素繊維からなる生地を肌に接する裏面又は中間層として用いたことを特徴とするマスクが知られている（特許文献２参照）。
【０００４】
さらに、係止手段を設けた、目、鼻、口に開口部のある顔面マスクと当該顔面マスクの下方に設けられた開閉部のある首カバーを有するマスクが知られている（特許文献３参照）。 
【特許文献１】特開２００５−０１３４８６号
【特許文献２】特開２００２−１７２０２２号
【特許文献３】特開平８−１３１２５４号
【発明の開示】
【発明が解決しようとする課題】
【０００５】
しかしながら、いずれのマスクも顔全体を覆うものでなかったり、あるいは顔に簡単に着用することができず、また優れたピーリング効果を有するものではないという問題があった。
【０００６】
本発明は、上述の問題に鑑みてなされたものであって、顔全体を覆いながら簡単に着用することができ、ひいては優れたピーリング効果を奏するピーリングマスクの提供を課題とする。
【課題を解決するための手段】
【０００７】
本発明は、上記課題を解決するために、人の顔前面に対応するマスク前面部と、人のあご面に対応し、かつ前記マスク前面部の下端部に連接するマスク後面部と、人の顔側面に対応し、かつ前記マスク前面部およびマスク後面部の両側部から上方に向けて延びる態様で連接するマスク側面部とを備え、本マスクを装着するに際しては、前記マスク前面部が人の顔前面を覆い、かつ前記マスク後面部が人のあご面を覆うとともに、前記両マスク側面部が人の顔側面に沿いながら頭部の頂上付近で結ばれることを特徴とする。
【０００８】
これによれば、マスク前面部を顔面に当て、かつマスク後面部をあご面に当てた状態で、マスク側面部を人の顔側面に沿いながら頭部で結ぶことによって、顔全体を覆いながら簡単に着用することができ、ひいては優れたピーリング効果を奏する。
【０００９】
また、前記素材はマイクロファイバからなるものであるのが好ましい。これによれば、紙の毛の太さの１／１００の超極細繊維であるマイクロファイバからなるので、顔を覆っているだけでもマッサージ効果があり、さらに着用した状態でマッサージすることによってその効果を向上させることができる。
【００１０】
また、前記マスク前面部は、眼が露出するための眼用開口部と、鼻を露出するための鼻用開口部が形成されているのが好ましい。これによれば、マスク着用時において眼と鼻を露出させることができ、長時間のマスク着用が可能となる。
【００１１】
また、前記眼用開口部と鼻用開口部の周縁部には装飾が施されているのが好ましい。マスクの外観意匠性を向上させることができる。
【発明の効果】
【００１２】
本発明によれば、マスク前面部を顔面に当て、かつマスク後面部をあご面に当てた状態で、マスク側面部を人の顔側面に沿いながら頭部で結ぶことによって、顔全体を覆いながら簡単に着用することができる。
【００１３】
このため、本マスクを顔に着用することによって、優れたマッサージ効果とクレンジング効果を奏する。特に半身浴やサウナ時に本マスクを着用すると、開いた毛穴を閉じ、小じわに対するピーリング効果が向上する。
【００１４】
具体的には、本マスクを着用することによって、毛穴に溜まった雑菌、公害物、皮脂汚れ、ほこりなど各種老廃物をきれいに取り除くことができ、肌が輝いて弾力を生むだけでなく、垂れた肌の予防を行え、さらにスチームバスやサウナ時における熱い水蒸気から肌を保護することができる。また、老化防止は古くなった角質や小じわを除去し、毛穴を引き締め、いつもきれいで輝く肌を持続することだけでなく、肌の再生に供することができる。さらに、スチームバスやサウナ時における熱を遮断してくれるので、風呂やサウナの利用時間を長くすることができ、肌の負担が少なくなることで効果的なスキンケアを楽しめることができる。
【発明を実施するための最良の形態】
【００１５】
次に本発明の一実施形態について説明する。
【００１６】
本実施形態に係るピーリングマスク（Ｍ）は、図１に示すように、人の顔前面に対応するマスク前面部（１）と、人のあご面に対応するマスク後面部（２）と、人の顔側面に対応するマスク側面部（３）とからなる。
【００１７】
前記マスク前面部（１）は、上端部がほぼ水平状に形成されるとともに、下端部が谷型状に形成されており、着用時において人の顔前面に対応するものとなされている。そして、マスク前面部（１）の中央部には、人の眼を露出するために横長円状の眼用開口部（１ａ）が形成され、該眼用開口部（１ａ）の下部には鼻を露出するためにやや短い横長円状の鼻用開口部（１ｂ）が形成されている。これによれば、マスク着用時において眼と鼻を露出させることができ、長時間のマスク着用が可能となる。
【００１８】
前記マスク後面部（２）は、図２に示すように、上端部および下端部がいずれも谷型形状に形成されており、前記マスク前面部（１）の下端部に連接している。このため着用時において人のあご面に対応するものとなされている。
【００１９】
前記マスク側面部（３）は、前側と後側に分かれるように折り曲げられており、前記マスク前面部（１）およびマスク後面部（２）の両側部から上方に延びる態様で連接している。このため着用時において先端部が人の頭部で結ばれることにより、人の顔側面に対応するものとなされている。
【００２０】
このピーリングマスク（Ｍ）の素材は、好ましくはマイクロファイバ（Micro Fiber）がよい。このマイクロファイバは、髪の毛の太さの約１／１００の超極細繊維であり、顔を覆っているだけでもマッサージ効果があり、さらに着用した状態でマッサージすることによってその効果を向上させることができる。
【００２１】
このピーリングマスク（Ｍ）の着用に際しては、図３（ａ）に示すように、入浴時やサウナ時において本マスク（Ｍ）をお湯や水で濡らした上で、人の前方においてマスク後面部（２）が手前側となる状態で全体が水平となるように両マスク側面部（３）をつかむ。そして、図３（ｂ）に示すように、マスク前面部（１）を顔前面に当てるとともに、マスク後面部（２）をあご面に当てながら、両マスク側面部（３）を耳付近まで持ってくる。そして、図３（ｃ）に示すように、そのまま両マスク側面部（３）を頭部まで持っていき、眼用開口部（１ａ）および鼻用開口部（１ｂ）がそれぞれ眼および鼻に位置するように調整するとともに、マスク全体が顔全体にフィットするように上方に軽く押し上げながら頭部の頂上付近で両マスク側面部（３）を結ぶ。而して、図４および図５に示すように、マスク前面部（１）は顔前面、マスク後面部（２）はあご面、マスク側面部（３）は顔側面をそれぞれ覆うこととなり、顔全体がマスクで覆われた状態となる。
【００２２】
このように本マスク（Ｍ）を顔に着用することによって、優れたマッサージ効果とクレンジング効果を奏する。特に半身浴やサウナ時に本マスク（Ｍ）を着用すると、開いた毛穴を閉じ、小じわに対するピーリング効果が向上する。
【００２３】
具体的には、図６に示すように、本マスク（Ｍ）を着用した状態でマッサージすることによって、毛穴に溜まった雑菌、公害物、皮脂汚れ、ほこりなど各種老廃物をきれいに取り除くことができ、肌が輝いて弾力を生むだけでなく、垂れた肌の予防を行え、さらにスチームバスやサウナ時における熱い水蒸気から肌を保護することができる。また、老化防止は古くなった角質や小じわを除去し、毛穴を引き締め、いつもきれいで輝く肌を持続することだけでなく、肌の再生に供することができる。さらに、スチームバスやサウナ時における熱を遮断してくれるので、風呂やサウナの利用時間を長くすることができ、肌の負担が少なくなることで効果的なスキンケアを楽しめることができる。
【産業上の利用可能性】
【００２４】
本発明は、ピーリング効果など顔の美容に適用可能である。
【図面の簡単な説明】
【００２５】
【図１】本発明の一実施形態に係るピーリングマスクの正面図である。
【図２】図１のピーリングマスクの背面図である。
【図３】ピーリングマスクの着用方法を示す図である。
【図４】ピーリングマスクの着用した状態を示す正面図である。
【図５】ピーリングマスクの着用した状態を示す側面図である。
【図６】ピーリングマスクを着用した上でマッサージを行う状態を示す正面図である。
【符号の説明】
【００２６】
１・・・マスク前面部（１）
２・・・マスク後面部（２）
３・・・マスク側面部（３）
１ａ・・・眼用開口部（１ａ）
１ｂ・・・鼻用開口部（１ｂ）
【図１】
2007029159.tif 000003
【図２】
2007029159.tif 000004
【図３】
2007029159.tif 000005
【図４】
2007029159.tif 000006
【図５】
2007029159.tif 000007
【図６】
2007029159.tif 000008